(57)【要約】【課題】  シームレス切換を行うための位相同期が容易な放送用無線回線の送信装置、およびその位相制御方法を提供する。【解決手段】  、および各送信器１、２は、それぞれの系統の変調器から入力された搬送波が各々に内蔵される位相器２１、２２、およびアンプ３１、３２経由で切換器９に入力される。アンプ３１、３２の出力は、ミキサ５とミキサ５に並列に接続される合成器６とへ入力され、ミキサ５の出力はハイブリッド４を介して位相器２１、２２へフィードバック入力される。合成器６で両アンプ３１、３２の出力が合成（加算）された信号はレベル判定部７へ出力され、レベル判定部７は、その信号のレベルを判定し、反転制御信号をハイブリッド４とミキサ５との間に挿入された反転部８の制御端子Ｃへ出力してミキサ５からの信号の極性を制御することにより各位相器の位相制御を行う。【選択図】  図４
2007036784.tif 000002
【特許請求の範囲】
【請求項１】
現用と予備の送信系統を備える放送用無線回線の送信装置において、
それぞれ位相器を介して搬送波を出力する第１、第２の送信器と、
前記第１、第２の送信器のうちいずれか一方を現用としてアンテナに接続する切換器と、
前記第１、前記第２の送信器が出力する各搬送波を混合したミキサ信号をハイブリッドへ出力するミキサと、
前記出力される前記ミキサ信号を２分岐して一方を前記第１の送信器の位相器の位相制御信号として出力し、他方を前記第２の送信器の位相器の位相制御信号として出力するハイブリッドと、
前記第１、第２の送信器の各位相器の入力にそれぞれ設けられ、前記切換器と連動して自分が接続された送信器が現用の場合、前記入力されるミキサ信号の極性をそのままにして出力し、予備の場合反転して出力する第１および第２の反転部とを備え、
前記第１、第２の送信器の各位相器は、
前記各反転部を介して入力される各ミキサ信号を誤差信号としてそれぞれ前記出力する搬送波の位相をフィードバック制御することを特徴とする放送用無線回線の送信装置。
【請求項２】
現用と予備の送信系統を備える放送用無線回線の送信装置において、
それぞれ位相器を介して搬送波を出力する第１、第２の送信器と、
前記第１、第２の送信器のうちいずれか一方を現用としてアンテナに接続する切換器と、
前記第１、前記第２の送信器が出力する各搬送波を混合したミキサ信号を反転部へ出力するミキサと、
前記ミキサ信号を入力と出力する各端子、および制御信号端子を備え、前記制御信号端子に入力される反転制御信号に応じて、前記入力されるミキサ信号の極性をそのまま、または反転して出力する反転部と、
前記反転部を介して入力される前記ミキサ信号を２分岐して一方を前記第１の送信器の位相器の位相制御信号として出力し、他方を前記第２の送信器の位相器の位相制御信号として出力するハイブリッドと、
前記ミキサに並列に接続され、入力される前記各搬送波を合成した信号を出力する合成器と、
前記合成器が出力する信号のレベルを監視して所定のレベル以下である場合、前記反転部に前記反転制御信号を生成して前記制御信号端子に出力するレベル判定部とを備え、
前記第１、第２の送信器の各位相器は、
前記ハイブリッドを介して各々入力されるミキサ信号を誤差信号としてそれぞれ前記出力する搬送波の位相をフィードバック制御することを特徴とする放送用無線回線の送信装置。
【請求項３】
現用と予備の送信系統を備える放送用無線回線の送信装置において、
それぞれ位相器を介して搬送波を出力する第１、第２の送信器と、
前記第１、第２の送信器のうちいずれか一方を現用としてアンテナに接続する切換器と、
前記第１、前記第２の送信器が出力する各搬送波を混合したミキサ信号を反転部へ出力するミキサと、
前記ミキサ信号を入力と出力する各端子、および制御信号端子を備え、前記制御信号端子に入力される反転制御信号に応じて、前記入力されるミキサ信号の極性をそのまま、または反転して出力する反転部と、
前記反転部を介して入力される前記ミキサ信号を２分岐して一方を前記第１の送信器の位相器の位相制御信号として出力し、他方を前記第２の送信器の位相器の位相制御信号として出力するハイブリッドと、
前記ミキサに並列に接続され、入力される前記各搬送波を合成した信号を出力する合成器と、
前記合成器が出力する信号のレベルを監視して所定のレベル以下である場合、前記反転部に前記反転制御信号を生成して前記制御信号端子に出力するレベル判定部と、
前記第１、第２の送信器の各位相器の入力にそれぞれ設けられ、前記切換器と連動して自分が接続された前記送信器が現用に用いられる場合は前記入力されるミキサ信号の代わりに接地電位の信号を出力し、予備に用いられる場合は前記入力されるミキサ信号をそのまま出力する第１および第２の接地スイッチとを備え
前記第１、第２の送信器の各位相器は、
前記ハイブリッドを介して各々入力されるミキサ信号を誤差信号としてそれぞれ前記出力する搬送波の位相をフィードバック制御することを特徴とする放送用無線回線の送信装置。
【請求項４】
現用と予備の送信系統を備える放送用無線回線の送信装置において、
それぞれ位相器を介して搬送波を出力する第１、第２の送信器と、
前記第１、第２の送信器のうちいずれか一方を現用としてアンテナに接続する切換器と、
前記第１、前記第２の送信器が出力する各搬送波を混合したミキサ信号をハイブリッドへ出力するミキサと、
前記出力される前記ミキサ信号を２分岐して一方を前記第１の送信器の位相器の位相制御信号として出力し、他方を前記第２の送信器の位相器の位相制御信号として出力するハイブリッドと、
前記第１、第２の送信器の各位相器の入力にそれぞれ設けられ、前記切換器と連動して自分が接続された前記送信器が現用に用いられる場合は前記入力されるミキサ信号の代わりに接地電位の信号を出力し、予備に用いられる場合は前記入力されるミキサ信号をそのまま出力する第１および第２の接地スイッチとを備え、
前記第１、第２の送信器の各位相器は、
前記各接地スイッチを介して入力される各ミキサ信号を誤差信号としてそれぞれ前記出力する搬送波の位相をフィードバック制御することを特徴とする放送用無線回線の送信装置。
【請求項５】
現用と予備の送信系統を備える放送用無線回線の送信装置の位相制御方法において、
前記送信装置は、それぞれ位相器を介して搬送波を出力する第１、第２の送信器と、前記第１、第２の送信器のうちいずれか一方を現用としてアンテナに接続する切換器と、ミキサと、反転部と、ハイブリッドと、合成器と、レベル判定部とを備え、
前記ミキサは、前記第１、前記第２の送信器が出力する各搬送波が入力され、前記入力された各前記搬送波を混合したミキサ信号を前記反転部へ出力し、
前記反転部は、
前記ミキサと前記ハイブリッドの間に接続されるとともに制御信号端子とを備え、前記制御信号端子に入力される反転制御信号に応じて、前記入力されるミキサ信号の極性をそのまま、または反転して前記ハイブリッドへ出力し、
前記ハイブリッドは、
前記反転部から入力される前記ミキサの出力信号を２分岐して一方を前記第１の送信器の位相器への位相制御信号として出力し、他方を前記第２の送信器の位相器への位相制御信号として出力し、
前記合成器は、
前記ミキサに並列に接続され、入力される各前記搬送波を合成した信号を前記レベル判定部へ出力し、
前記レベル判定部は、
前記合成器から入力される信号のレベルを監視して所定のレベル以下である場合、前記反転を指示する前記反転制御信号を生成して前記制御信号端子へ出力し、
前記第１、第２の送信器の各位相器は、
前記ハイブリッドを介して各々入力されるミキサ信号を誤差信号として前記出力する各搬送波の位相をフィードバック制御することを特徴とする放送用無線回線の送信装置の位相制御方法。
【請求項６】
現用と予備の送信系統を備える放送用無線回線の送信装置の位相制御方法において、
前記送信装置は、それぞれ位相器を介して搬送波を出力する第１、第２の送信器と、前記第１、第２の送信器のうちいずれか一方を現用としてアンテナに接続する切換器と、ミキサと、反転部と、ハイブリッドと、合成器と、レベル判定部と、第１、弟２の接地スイッチとを備え、
前記ミキサは、前記第１、前記第２の送信器が出力する各搬送波が入力され、前記入力された各前記搬送波を混合したミキサ信号を前記反転部へ出力し、
前記反転部は、
前記ミキサと前記ハイブリッドの間に接続されるとともに制御信号端子とを備え、前記制御信号端子に入力される反転制御信号に応じて、前記入力されるミキサ信号の極性をそのまま、または反転して前記ハイブリッドへ出力し、
前記ハイブリッドは、
前記反転部から入力される前記ミキサの出力信号を２分岐して一方を前記第１の送信器の位相器への位相制御信号として出力し、他方を前記第２の送信器の位相器への位相制御信号として出力し、
前記合成器は、
前記ミキサに並列に接続され、入力される各前記搬送波を合成した信号を前記レベル判定部へ出力し、
前記レベル判定部は、
前記合成器から入力される信号のレベルを監視して所定のレベル以下である場合、前記反転を指示する前記反転制御信号を生成して前記制御信号端子へ出力し、
前記第１および第２の接地スイッチは、
前記ハイブリッドと前記第１、第２の送信器の各位相器のとの間にそれぞれ設けられ、前記切換器と連動して自分が接続された前記送信器が現用に用いられる場合は前記入力されるミキサ信号の代わりに接地電位の信号を出力し、予備に用いられる場合は前記入力されるミキサ信号をそのまま出力し、
前記第１、第２の送信器の各位相器は、
前記出力する各搬送波の位相を各々前記入力されるミキサ信号を誤差信号としてフィードバック制御することを特徴とする放送用無線回線の送信装置の位相制御方法。
【請求項７】
現用と予備の送信系統を備える放送用無線回線の送信装置の位相制御方法において、
前記放送用無線回線の送信装置は、それぞれ位相器を介して搬送波を出力する第１、第２の送信器と、切換器と、ミキサと、ハイブリッドと、第１および第２の反転部とを備え、
前記切換器は、前記第１、第２の送信器のうちいずれか一方を現用としてアンテナに接続し、
前記ミキサは、
前記第１、前記第２の送信器が出力する各搬送波を混合したミキサ信号をハイブリッドへ出力し、
前記ハイブリッドは、
前記入力される前記ミキサ信号を２分岐して一方を前記第１の送信器の位相器の位相制御信号として出力し、他方を前記第２の送信器の位相器の位相制御信号として出力し、
前記第１および第２の反転部は、前記第１、第２の送信器の各位相器の入力に設けられ、前記切換器と連動して自分が接続された送信器が現用に用いられる場合、前記入力されるミキサ信号の極性をそのままにして出力し、予備に用いられる場合反転して出力し、
各前記第１、第２の送信器の位相器は、それぞれ前記出力する搬送波の位相を前記各反転部から入力される各ミキサ信号を誤差信号としてフィードバック制御する
ことを特徴とする放送用無線回線の送信装置の位相制御方法。
【請求項８】
現用と予備の送信系統を備える放送用無線回線の送信装置の位相制御方法において、
前記放送用無線回線の送信装置は、それぞれ位相器を介して搬送波を出力する第１、第２の送信器と、切換器と、ミキサと、ハイブリッドと、第１および第２の接地スイッチとを備え、
前記切換器は、
前記第１、第２の送信器のうちいずれか一方を現用としてアンテナに接続し、
前記ミキサは、
前記第１、前記第２の送信器が出力する各搬送波を混合したミキサ信号をハイブリッドへ出力し、
前記ハイブリッドは、
前記出力される前記ミキサ信号を２分岐して一方を前記第１の送信器の位相器の位相制御信号として出力し、他方を前記第２の送信器の位相器の位相制御信号として出力し、
第１および第２の接地スイッチは、
前記ハイブリッドと前記第１、第２の送信器の各位相器との間にそれぞれ設けられ、前記切換器と連動して自分が接続された前記送信器が現用に用いられる場合は前記入力されるミキサ信号の代わりに接地電位の信号を出力し、予備に用いられる場合は前記入力されるミキサ信号をそのまま出力し、
前記第１、第２の送信器の各位相器は、
前記各接地スイッチを介して入力される各ミキサ信号を誤差信号としてそれぞれ前記出力する搬送波の位相をフィードバック制御することを特徴とする放送用無線回線の送信装置の位相制御方法。
【発明の詳細な説明】
【技術分野】
【０００１】
本発明は、シームレス切換をおこなう現用系と予備系を備える放送用無線回線の送信装置、およびその位相制御方法に関する。
【背景技術】
【０００２】
放送波を中継する放送用無線回線装置では、現用系から予備系への切換え（系統切換）を行う際には回線断が発生することの無いシームレス切換が行われる。
【０００３】
このため、系統切換の際には切換前後の信号が連続する様に、送信電波の搬送波周波数、位相が共に変動の無いように制御することがシームレスな切換えに必要な条件である。放送送信器では、シームレス切換の為に、現用、予備の両系統で送信される送信電波を放送番組信号に一度復調し、その両者の位相差を測定し位相差を調整し再び変調して送信する方法などが取られているが、信号処理が複雑となる（例えば、特許文献１。）。
【０００４】
また、中継用の無線回線装置では、装置規模を小さくしなければならないので上述の方法の代わりに搬送波の周波数（位相）同期を確立するために現用系と予備系の中継送信器の送信電波（搬送波）の位相を測定し、現用系、予備系の共通の発振器が出力する基準信号と比較し、位相を揃える方法がある。（例えば、特許文献２）。
【０００５】
しかし、放送用無線回線の送受信装置は、本来その内部回路へ外部から制御信号が接続されない回路構成であるにもかかわらず、これらの方法は、いずれも現用、予備系にタイミング制御を行うための共通の発振器、即ち、２台の送信器の前段処理回路と外部との間で制御処理を行うための信号の入出力を行わなければならず、送信器の信号処理が複雑になる問題があった。
【特許文献１】特開２００４−９６４６８号公報  （第７頁、第１図）
【特許文献２】特許第３５３６８３１号  （第６頁、第１図）
【発明の開示】
【発明が解決しようとする課題】
【０００６】
従来、放送用無線回線の送信装置では、シームレスに切換るには中継する信号の搬送波の位相を現用系と予備系で揃えることが必要であったが、共通の発振器から基準信号を供給して２台の送信器出力の位相を揃える処理を行う為に送信器の信号処理が複雑になる問題があった。
【０００７】
本発明は、上記問題を解決するためになされたもので、シームレス切換を行うための位相同期が容易な放送用無線回線の送信装置、およびその位相制御方法を提供することを目的とする。
【課題を解決するための手段】
【０００８】
上記目的を達成するために、本発明の放送用無線回線の送信装置は、現用と予備の送信系統を備える放送用無線回線の送信装置において、それぞれ位相器を介して搬送波を出力する第１、第２の送信器と、前記第１、第２の送信器のうちいずれか一方を現用としてアンテナに接続する切換器と、前記第１、前記第２の送信器が出力する各搬送波を混合したミキサ信号を反転部へ出力するミキサと、前記ミキサ信号を入力と出力する各端子、および制御信号端子を備え、前記制御信号端子に入力される反転制御信号に応じて、前記入力されるミキサ信号の極性をそのまま、または反転して出力する反転部と、前記反転部を介して入力される前記ミキサ信号を２分岐して一方を前記第１の送信器の位相器の位相制御信号として出力し、他方を前記第２の送信器の位相器の位相制御信号として出力するハイブリッドと、前記ミキサに並列に接続され、入力される前記各搬送波を合成した信号を出力する合成器と、前記合成器が出力する信号のレベルを監視して所定のレベル以下である場合、前記反転部に前記反転制御信号を生成して前記制御信号端子に出力するレベル判定部とを備え、前記第１、第２の送信器の各位相器は、前記ハイブリッドを介して各々入力されるミキサ信号を誤差信号としてそれぞれ前記出力する搬送波の位相をフィードバック制御することを特徴とする。
【０００９】
また、本発明の放送用無線回線の送信装置の位相制御方法は、現用と予備の送信系統を備える放送用無線回線の送信装置の位相制御方法において、前記送信装置は、それぞれ位相器を介して搬送波を出力する第１、第２の送信器と、前記第１、第２の送信器のうちいずれか一方を現用としてアンテナに接続する切換器と、ミキサと、反転部と、ハイブリッドと、合成器と、レベル判定部とを備え、前記ミキサは、前記第１、前記第２の送信器が出力する各搬送波が入力され、前記入力された各前記搬送波を混合したミキサ信号を前記反転部へ出力し、前記反転部は、前記ミキサと前記ハイブリッドの間に接続されるとともに制御信号端子とを備え、前記制御信号端子に入力される反転制御信号に応じて、前記入力されるミキサ信号の極性をそのまま、または反転して前記ハイブリッドへ出力し、前記ハイブリッドは、前記反転部から入力される前記ミキサの出力信号を２分岐して一方を前記第１の送信器の位相器への位相制御信号として出力し、他方を前記第２の送信器の位相器への位相制御信号として出力し、前記合成器は、前記ミキサに並列に接続され、入力される各前記搬送波を合成した信号を前記レベル判定部へ出力し、前記レベル判定部は、前記合成器から入力される信号のレベルを監視して所定のレベル以下である場合、前記反転を指示する前記反転制御信号を生成して前記制御信号端子へ出力し、前記第１、第２の送信器の各位相器は、前記ハイブリッドを介して各々入力されるミキサ信号を誤差信号として前記出力する各搬送波の位相をフィードバック制御することを特徴とする放送用無線回線の送信装置の位相制御方法。
【発明の効果】
【００１０】
本発明によれば、シームレス切換を行うための位相同期が容易な放送用無線回線の送信装置、およびその位相制御方法を提供することが出来る。
【発明を実施するための最良の形態】
【００１１】
以下、図面を参照して本発明の実施例を説明する。
【実施例１】
【００１２】
図１は、本発明の第１の実施例における無線回線装置の送信器の位相制御を説明する機能ブロック図であって、２台の送信器の出力をミキサに入力し、ミキサの出力電圧を予備系の送信器の位相器にフィードバックして位相同期をする行う方法である。  
図１において、送信系統は、送信器１、送信器２それぞれの系統で構成され、送信器１、２へミキサ５の出力信号を分波して出力するハイブリッド４、送信器１、２の出力信号が入力され、その混合信号をミキサ信号として出力するミキサ５、送信器１、２の出力を切換えていずれか一方をアンテナに接続する切換器９とを備えている。
【００１３】
送信器１および送信器２では、それぞれの系統の変調器から入力された搬送波が各位相器２１、２２、およびアンプ３１、３２で増幅されその出力が切換器９に入力される。アンプ３１、３２の出力は、ミキサ５に接続され、そのミキサ５の出力は各ハイブリッド４と反転部１１、１２とを介しておよび送信器の各位相器２１、２２へフィードバックされる。位相器２１、２２は、このフィードバックされる信号電圧で位相差が無くなるように制御される。
【００１４】
送信器１、２は、現用、予備のいずれかとして動作するが、各送信器１、２へ入力される搬送波は、それぞれの系統の変調器から供給される。これらの変調信号、搬送波は、図示されないが２つの系統、言い換えれば現用、予備共通の基準発振器の信号を元に生成されるので、元来、周波数や位相が同一であるのも係わらず、ケーブル長や、信号処理回路の僅かな差異の積み重ねにより終段では、両者の間で特に位相にズレが生じており、放送波のシームレス切換の障害になる。
【００１５】
従来は、基準発振器の出力信号を終段の２つの送信器からの各出力（搬送波）と比較照合して両出力の位相を揃える方法がとられているが回路が複雑になり、規模が大きくなる等の問題があることは先に述べたとおりである。
【００１６】
図２は、図１において、ミキサ５に入力される２つの送信器１、２の搬送波とその混合出力であるミキサ５の出力との関係を示す図である。  
図２において、図２（ａ）は、２つの送信器からミキサへ入力される搬送波の位相差の例、図２（ｂ）は、ミキサ５へ入力される搬送波の位相差とミキサ５の出力の関係を示す図である（なお、図２（ｃ）は、後述の第２の実施例においてミキサへ入力される２つの搬送波の位相差と後述の合成器により２つの入力される搬送波を加算した出力信号との関係を示すものである。）。
【００１７】
送信器１を基準とした場合、２つの搬送波の振幅が同じで正相にある場合にはミキサ５０の出力は、図２（ｂ）の実線の様になる。即ち、送信器２台の出力の振幅と位相が揃っている場合、ミキサ５の出力は「０」になるのでミキサ５の出力が０になる様に各位相器２１、２２をフィードバック制御すれば、例えば、現用の送信器１と予備の送信器２のそれぞれが出力する搬送波の位相が一致してシームレス切換が出来る様になる。
【００１８】
一方、現用系と予備系を切り替えた場合、基準となる搬送波が入れ替わるので図２（ｂ）の点線の様に位相関係が逆転する。ミキサ５の出力電圧は位相が０度と１８０度で０となることから、ミキサ信号を同じ極性のままでフィードバック制御を行うとミキサ５からフィードバックされる信号と位相器の回転方向の対応が逆になり、切換時に逆位相（１８０度）にあわせる動作を開始する場合が生じてしまう。
【００１９】
図１では、この誤動作を避けるため、現用系と予備系切換の際、切換スイッチ９と連動するように反転部１１、１２へ現用予備切換信号を反転部に供給してフィードバックさせる信号の極性を反転している。（ここでは、送信器１が現用系となっている。）反転部１１、１２は、現用予備切換信号によって、内部の切換スイッチにより入力された信号がそのままの極性か、反転極性かのいずれかに切換えられて出力される。
【００２０】
図３は、位相器２１、２２の内部の機能構成を示すブロック図である。  
図３において、各位相器２１、２２は、駆動アンプ２Ａと、駆動アンプ２Ａからの制御電圧で入力された搬送波の出力の位相シフト量が制御されるフェーズシフタ２Ｂとを備えている。
【００２１】
駆動アンプ２Ａは、２つの入力端子２ｉ１と２ｉ２と出力端子２ｏを備え、２ｉ１と２ｉ２の入力電圧に差が無くなる、言い換えれば、ミキサ信号が「０」ボルトになる様に制御電圧を出力端子２ｏからフェーズシフタ２Ｂの制御端子５ｃへ出力することによりフィードバック制御する。
【００２２】
即ち、入力端子２ｉ１には、基準電圧（ここでは、接地電位の０ボルトとする。）が加えられ、他方の入力端子２ｉ２には、ハイブリッド４を介してミキサ５の出力が誤差電圧として加えられる。そして、この誤差電圧から生成された制御電圧が出力端子２ｏから出力されており、ミキサの出力が０ボルトであれば、２つの送信器１、２との間の送信電波（搬送波）の位相差が無い様にフィードバック制御が行われる。その結果、位相器２１、２２に入力された搬送波はそれぞれ所要の位相シフトが行われ、送信器１と送信器の出力する搬送波の位相が揃うようにフィードバック制御される。
【００２３】
図４は、本発明の第２の実施例に係る無線回線装置の送信系統の機能構成を示すブロック図である。  
図４において無線回線装置は、２つの系統に送信器１、送信器２接続されるミキサ５、および合成器６と、ハイブリッド４、レベル判定部７、反転部８、および２台の送信器の出力を切り替えてアンテナに接続する切換器９とを備えている。
【００２４】
送信器１、送信器２は、それぞれの系統の変調器から入力される搬送波が各送信器１、２の位相器２１、２２へ入力され、その各出力がアンプ３１、３２で増幅されて切換器９へ出力される。
【００２５】
アンプ３１、３２の出力は、ミキサ５にも接続され、そのミキサ５の出力は反転部８の入力端子ｉへ入力される。反転部８の出力端子ｏは、ハイブリッド４に接続され、ハイブリッド４で分岐され、ミキサ５の出力信号の一方は位相器２１、他方は位相器２２へフィードバック入力される。位相器２１、２２の内部は、図３に示されるとおりである。
【００２６】
再び図４において、アンプ３１、３２の各出力はミキサ５に並列に接続される合成器６へも入力される。合成器６は、両アンプ３１、３２の出力を合成（加算）した信号をレベル判定部７へ出力する。レベル判定部７は、後述の如く入力される信号が所定のレベルより低い場合、反転制御信号を反転部８の制御端子ｃへ入力することにより反転部８から出力されるミキサ５の出力信号を反転し、各位相器２１、２２は逆相となることなく位相制御を正しく行う。
【００２７】
即ち、図４において、送信器２台の出力の振幅と位相が揃っている場合、ミキサ５の出力は「０」であり、その時合成器６の出力が「２Ｃ」であるとする。言い換えれば合成器６の出力は、図２（ｂ）の実線に対応して、ミキサ５に入力される搬送波を加算するので２つの搬送波の位相が揃っていれば、合成器６の出力は最大の「２Ｃ」になる。
【００２８】
反対に、位相がずれるに従い出力レベルは、位相差０度の最大値「２Ｃ」から、位相差１８０度の最低値「０」まで逆相方向に向かって減少する。位相差が±９０度を超えると互いに逆相の関係になるので、現用系から予備系へ切り替えた時にも合成器８の出力レベルを観測して所定のレベル（ここでは、「Ｃ」）以上か以下を判定することによりミキサ出力の関係が逆相か正相かが判定できる。
【００２９】
レベル判定部７は、合成器６の信号が入力され、レベルが「Ｃ」以上の場合には、反転部８で入力されるミキサの信号の極性をそのままに保つ「０」の反転制御信号を出力する。また、レベルが「Ｃ」以下で有れば、ミキサ５の信号を反転して出力するための「１」を出力する。このレベル判定部７の反転制御信号出力は、反転部８の制御端子ｃに入力される。
【００３０】
反転部８は、内部に２回路切換のスイッチ８１と反転回路８２を備えている。そして反転部８の入力端子ｉへ入力されたミキサ５の出力の一方が反転回路８２の入力側へ接続され、反転回路８２の出力側は、スイッチ８１の一方の切換端子へ接続される。一方、入力端子ｉへ入力されたミキサ５の出力の他方は、スイッチ８１の他方の切換端子へ接続される。
【００３１】
反転部８の制御端子ｃは、スイッチ８１のコモン端子の接続先を制御し、反転制御信号が「０」であれば、ミキサ５からの信号をそのまま反転部８の出力端子ｏへ出力する。反対に反転制御信号が「１」であれば、スイッチ８１からは反転回路８２を通したミキサ５の出力信号が出力端子ｏへ出力される。
【００３２】
従って、図４に示されるブロック図では、位相制御に係わって現用予備切換信号を送信器の内部に供給する必要が無い。もし、逆相になっても位相器２１、２２に加えるミキサ５の信号の極性は自動的に反転されているので２つの送信器の出力の間で位相差が無くなる様に位相調整を行うことが出来る。
【００３３】
第２の実施例においては、現用と予備系の位相を揃える制御は、現用系と予備系がそれぞれミキサ５の出力を「０」にするように速やかなフィードバック制御を行うが、反面、現用系と予備系との間で相互に影響することにより不安定性が生じる場合もある。
【００３４】
そこで、位相を合わせる第３の方法として、現用系の出力の位相を基準として予備系の送信器の出力の位相を合わせるようにして、相互影響を防ぐようにしても良い。
【００３５】
図５は、本発明の第３の実施例に係わる無線回線装置の送信系統の機能構成を示すブロック図である。  
図５は、現用、予備系の指定信号を利用して位相制御を行う方法を示している。  
図５において、ハイブリッド４の出力と位相器２１、２２へのフィードバックループの間に接地スイッチ２１１、２１２が挿入されている。そして、切換器９と連動する様に現用予備切換信号が、接地スイッチ２１１、２１２の制御端子ｓｃへ供給されている。
【００３６】
図６は、位相器２１、２２（駆動アンプ２Ａ、２Ｂ）と接地スイッチ２１１、２１２との接続図である。  
図６において、各接地スイッチ２１１、２１２のコモン端子は、それぞれ駆動アンプ２Ａ、２Ｂの入力端子２ｉ２へ接続される。また、各接地スイッチ２１１、２１２の切換端子の一方は接地され、他方はハイブリッド４へ接続される。
【００３７】
現用系に指定された送信系統の接地スイッチ（ここでは、接地スイッチ２１１とする。）は、送信器１の位相器２１の駆動アンプ２Ａの入力端子２ｉ２を接地（即ち、０ボルト）することにより、駆動アンプ２Ａの両入力端子の電圧は、基準電圧である接地電位の「０」ボルトに揃えられる。
【００３８】
即ち、両入力端子の電圧が共に「０」ボルトなので、駆動アンプ２Ａでは、ミキサ５の出力電圧によるフィードバックが休止し、位相器２１では駆動アンプ２Ａによる位相シフトが生じない。
【００３９】
そして、現用系である送信器１の搬送波出力を基準として、予備系の送信器２では、位相器２２がミキサ５の出力、即ち、現用系の送信器の出力に対して追随するフィードバック操作が行われる様になる。以上の点以外は、第１、第２の実施例の動作は同じであるが、予備系でのみ現用系の出力を基準として位相追尾を行うので、現用と予備系の位相器の間で生じる位相制御のハンチングを防ぐ効果がある。
【００４０】
また、図７は、第１の実施例に対しても第３の実施例と同様に現用系の送信器が出力する搬送波の出力位相を予備系の送信器の位相器２２が追尾をする第４の実施例を示す図である。  
図７は、図１の第１の実施例における反転部１１、１２が接地スイッチ２１１、２１２に置き換え有られている。動作等の詳細については、第３の実施例の説明から容易に類推できるので説明を省略する。
【００４１】
以上説明した如く、本発明の実施例では、２台の送信器の出力位相を基準発振器との間で比較して合わせることなく、２台の送信器が出力する搬送波の位相を直接比較することにより、容易にシームレス切換に必要な位相同期が出来る。
【図面の簡単な説明】
【００４２】
【図１】本発明の第１の実施例に係る無線回線装置の送信系統の機能構成を示すブロック図。
【図２】ミキサに入力される２つの送信器の搬送波とミキサ出力の関係を示す図。
【図３】位相器の内部の機能構成を示すブロック図。
【図４】本発明の第２実施例に係る無線回線装置の送信系統の機能構成を示すブロック図。
【図５】本発明の第３の実施例に係る無線回線装置の送信系統の機能構成を示すブロック図。
【図６】各位相器と各接地スイッチとの間の接続図。
【図７】本発明の第４の実施例に係る無線回線装置の送信系統の機能構成を示すブロック図。
【符号の説明】
【００４３】
１、２  送信器
２１、２２  位相器
２１１、２１２接地スイッチ
３１、３２  アンプ
４  ハイブリッド
５  ミキサ
６  合成器
７  レベル判定器
８  反転部
９  切換器
【図１】
2007036784.tif 000003
【図２】
2007036784.tif 000004
【図３】
2007036784.tif 000005
【図４】
2007036784.tif 000006
【図５】
2007036784.tif 000007
【図６】
2007036784.tif 000008
【図７】
2007036784.tif 000009